(57)【要約】【課題】印刷ジョブデータがこれに基づき得られる印刷物から復元可能であるように印刷ジョブデータを作成する印刷ジョブ処理装置を提供する。【解決手段】ＰＤＬ形式のレイアウトデータと印刷処理に必要な印刷処理条件とからなる印刷ジョブデータを所定のエンコード手法でシンボル化する。得られたシンボルの画像データをＰＤＬ変換する。これをレイアウトデータに合成した印刷ジョブデータを印刷処理に供する。印刷処理を実行すると、レイアウト時に意図された表現内容の像である実体像ＩＭにシンボルＳＢが付加された印刷物ＰＭが得られる。エンコード手法に対応したデコード手法を備える所定の復元処理装置によってシンボルＳＢを読み取り、これをデコードすることで、第１印刷ジョブデータが忠実に復元できる。これにより、印刷物としてドキュメントを保存しておきさえすれば、電子データを保存せずとも印刷ジョブデータによる再印刷が容易かつ確実に行える。【選択図】図６
2006146771.tif 000002
【特許請求の範囲】
【請求項１】
所定の処理手段による印刷物の作成処理に供される印刷ジョブデータを生成する印刷ジョブ処理装置であって、
所定のページ記述言語で記述された印刷対象データと前記印刷対象データに係る印刷処理条件とを関連付けた印刷ジョブデータを作成する印刷ジョブ作成手段と、
前記印刷ジョブデータを所定の復元手段によって可逆的にデコード可能な手法でエンコードすることでシンボル化して第１のシンボルデータを生成するシンボル化手段と、
前記第１のシンボルデータを前記所定のページ記述言語による記述形式の第２のシンボルデータに変換する変換手段と、
を備え、
前記印刷ジョブ作成手段は、
前記所定のページ記述言語で記述された第１のレイアウトデータを前記印刷対象データとする第１の印刷ジョブデータをいったん作成したうえで、前記第１のレイアウトデータと前記第１の印刷ジョブデータに基づいて得られた前記第２のシンボルデータとを前記印刷対象データとして含む第２の印刷ジョブデータを作成する、
ことを特徴とする印刷ジョブ処理装置。
【請求項２】
請求項１に記載の印刷ジョブ処理装置であって、
前記第２のシンボルデータと前記第１のレイアウトデータとを合成して第２のレイアウトデータを生成するデータ合成手段、
をさらに備え、
前記第２の印刷ジョブデータは、前記第２のレイアウトデータを前記印刷対象データとする、
ことを特徴とする印刷ジョブ処理装置。
【請求項３】
請求項１または請求項２に記載の印刷ジョブ処理装置であって、
前記シンボル化手段は、前記印刷ジョブデータから前記第１のシンボルデータとして複数の単位シンボルデータを生成する、
ことを特徴とする印刷ジョブ処理装置。
【請求項４】
請求項１ないし請求項３のいずれかに記載の印刷ジョブ処理装置であって、
前記第２のシンボルデータに基づく像が印刷物作成時に裁ち落とされる領域に形成されるように前記前記印刷対象データを生成する、
ことを特徴とする印刷ジョブ処理装置。
【請求項５】
請求項１ないし請求項４のいずれかに記載の印刷ジョブ処理装置であって、
前記所定の印刷装置における印刷に際し、前記第２のシンボルデータに基づく像が可視光に対して透明なインクを用いて印刷されるように前記印刷対象データを生成する、
ことを特徴とする印刷ジョブ処理装置。
【請求項６】
請求項１ないし請求項５のいずれかに記載の印刷ジョブ処理装置と、
前記印刷処理条件に従って前記印刷対象データをラスタライズ処理するＲＩＰ処理手段と、
ラスタライズ処理によって得られたラスターデータについて前記印刷処理条件に従って出力処理する出力処理手段と、
を備えることを特徴とする印刷システム。
【請求項７】
請求項６に記載の印刷システムであって、
前記ＲＩＰ処理手段が前記印刷ジョブ処理装置に備わる、
ことを特徴とする印刷システム。
【請求項８】
請求項６または請求項７に記載の印刷システムであって、
印刷物に印刷されてなる所定のシンボルにエンコードされたデータを復元する復元処理装置、
をさらに備え、
前記復元処理装置は、
印刷物の少なくとも一部の像を読み取って画像データを得る読取手段と、
前記読取手段が前記所定のシンボルを読み取ることにより得られた前記シンボルの画像データをデコードすることにより前記エンコードされたデータを復元する復元処理手段と、
を備え、
前記復元処理手段は、前記印刷ジョブ処理装置においてエンコードされたデータをデコード可能である、
ことを特徴とする印刷システム。
【請求項９】
所定の処理手段による印刷物の作成処理に供される印刷ジョブデータのバックアップ方法であって、
所定のページ記述言語で記述された第１のレイアウトデータを印刷対象データとし、前記印刷対象データと前記印刷対象データに係る印刷処理条件とを関連付けた第１の印刷ジョブデータを作成する第１作成工程と、
前記第１の印刷ジョブデータを所定の復元手段によって可逆的にデコード可能な手法でエンコードすることでシンボル化して第１のシンボルデータを生成するシンボル化工程と、
前記第１のシンボルデータを前記所定のページ記述言語による記述形式の第２のシンボルデータに変換する変換工程と、
前記第１のレイアウトデータと前記第１の印刷ジョブデータに基づいて得られた前記第２のシンボルデータとを前記印刷対象データとして含む第２の印刷ジョブデータを作成する第２作成工程と、
所定のＲＩＰ処理手段により、前記第２の印刷ジョブデータを前記印刷処理条件に従ってラスタライズ処理するＲＩＰ処理工程と、
所定の出力手段により、ＲＩＰ処理工程により得られたラスターデータについて前記印刷処理条件に従って印刷物を出力する出力工程と、
を備えることを特徴とする印刷ジョブデータのバックアップ方法。
【請求項１０】
コンピュータで実行されることにより、前記コンピュータを、請求項１ないし請求項５のいずれかに記載の印刷ジョブ処理装置として機能させることを特徴とするプログラム。
【請求項１１】
コンピュータで実行されることにより、前記コンピュータに、
所定のページ記述言語で記述された第１のレイアウトデータを印刷対象データとし、前記印刷対象データと前記印刷対象データに係る印刷処理条件とを関連付けた第１の印刷ジョブデータを作成する第１作成工程と、
前記第１の印刷ジョブデータを所定の復元手段によって可逆的にデコード可能な手法でエンコードすることでシンボル化して第１のシンボルデータを生成するシンボル化工程と、
前記第１のシンボルデータを前記所定のページ記述言語による記述形式の第２のシンボルデータに変換する変換工程と、
前記第１のレイアウトデータと前記第１の印刷ジョブデータに基づいて得られた前記第２のシンボルデータとを前記印刷対象データとして含む第２の印刷ジョブデータを作成する第２作成工程と、
前記第２の印刷ジョブデータを前記印刷処理条件に従ってラスタライズ処理するラスタライズ処理工程と、
前記ラスタライズ処理により得られたラスターデータについて前記印刷処理条件に従って印刷物を出力するよう、所定の出力手段を制御する出力処理工程と、
を実現させることを特徴とするプログラム。
【発明の詳細な説明】
【技術分野】
【０００１】
本発明は、印刷ジョブデータの作成、特に再利用を行う可能性のある印刷ジョブデータの作成に関する。
【背景技術】
【０００２】
印刷物の作成対象となったドキュメント（ここでは文章に限らず、画像のみのものも含む）を、電子データの状態で保存しておくことは、後に再利用できるという点で有効である。これは、可搬性の記憶メディアに保存したり、あるいはコンピュータのハードディスクや専用のデータベースサーバに保存するといった態様で広く実現されている。
【０００３】
一方で、ドキュメントを長期間保存する場合は、いまだに紙媒体に印刷した印刷物の状態で保存するケースが少なくない。印刷物として保存されたドキュメント（文章や画像などから構成される）の内容から当該ドキュメントを表現する電子データを生成して、再利用に供することも広くなされている。スキャナによって読み取ることによりイメージデータとして取得したり、さらにはＯＣＲ（Optical Character Reader）ソフトウェアなどを用いてテキストデータを取得するといった態様が代表的である。
【０００４】
また、２次元コードを利用して、印刷された各種書類の真正性や複写発行した各種文書の真正性を検証することができ、これにより偽造や不正使用の防止を可能とする技術が既に公知である（例えば、特許文献１参照。）。
【０００５】
【特許文献１】特開２００３−３２３５１２号公報
【発明の開示】
【発明が解決しようとする課題】
【０００６】
上述のような電子データを可搬性の記憶メディアに保存する場合、該メディアの耐久性の面で問題がある。一方、ネットワーク上にあるコンピュータやデータベースサーバなどに保存する場合にはセキュリティの面で問題がある。また、技術革新の結果として旧式となってしまったメディア等にすでに保存されている電子データをも継続して再利用可能としておくためには、読み出し可能な環境を維持しておかねばならず、そのためのコストがかかる、という問題もある。
【０００７】
また、紙媒体である印刷物から電子データを生成するとしても、例えばイメージスキャナ等を用いて該印刷物のイメージデータを生成するのみでは、特に印刷物に記述されている文章をテキスト形式の電子データ（テキストデータ）として再利用することは困難である。かかる場合、ＯＣＲソフトウェアを用いることで、印字品質が良好であればテキストデータの入手は比較的容易に行えるものの、印刷装置における印刷処理に供すればもとの印刷物の表現内容を忠実に再現できるような形式で記述されたデータの生成までを行えるものではない。
【０００８】
さらには、仮に印刷物からドキュメントのレイアウト状態を正確かつ確実に再生できるレイアウトデータを生成することができたとしても、再生されたレイアウトデータを用いて元の印刷物を再現するためには、係る印刷物を得る際の処理条件を、元の印刷物の印刷時と揃えることが必要となる。
【０００９】
特許文献１には、印刷物に付加的に印刷された２次元コードを読み取ってその情報を用いることにより、文書の不正使用や改ざん防止を実現する技術が開示されてはいるが、係る技術は、印刷物からのレイアウトデータの再生を目的とするものではない。
【００１０】
本発明は、上記課題に鑑みてなされたものであり、印刷に係るレイアウトデータと該レイアウトデータの印刷の際に用いる処理条件とを含む印刷ジョブデータの作成を担う印刷ジョブ処理装置であって、該印刷ジョブデータに基づいた印刷処理により得られる印刷物からを復元可能であるように、該印刷ジョブデータを生成する印刷ジョブデータ処理装置、およびこれを含む印刷システムを提供することを目的とする。
【課題を解決するための手段】
【００１１】
上記課題を解決するため、請求項１の発明は、所定の処理手段による印刷物の作成処理に供される印刷ジョブデータを生成する印刷ジョブ処理装置であって、所定のページ記述言語で記述された印刷対象データと前記印刷対象データに係る印刷処理条件とを関連付けた印刷ジョブデータを作成する印刷ジョブ作成手段と、前記印刷ジョブデータを所定の復元手段によって可逆的にデコード可能な手法でエンコードすることでシンボル化して第１のシンボルデータを生成するシンボル化手段と、前記第１のシンボルデータを前記所定のページ記述言語による記述形式の第２のシンボルデータに変換する変換手段と、を備え、前記印刷ジョブ作成手段は、前記所定のページ記述言語で記述された第１のレイアウトデータを前記印刷対象データとする第１の印刷ジョブデータをいったん作成したうえで、前記第１のレイアウトデータと前記第１の印刷ジョブデータに基づいて得られた前記第２のシンボルデータとを前記印刷対象データとして含む第２の印刷ジョブデータを作成する、ことを特徴とする。
【００１２】
また、請求項２の発明は、請求項１に記載の印刷ジョブ処理装置であって、前記第２のシンボルデータと前記第１のレイアウトデータとを合成して第２のレイアウトデータを生成するデータ合成手段、をさらに備え、前記第２の印刷ジョブデータは、前記第２のレイアウトデータを前記印刷対象データとする、ことを特徴とする。
【００１３】
また、請求項３の発明は、請求項１または請求項２に記載の印刷ジョブ処理装置であって、前記シンボル化手段は、前記印刷ジョブデータから前記第１のシンボルデータとして複数の単位シンボルデータを生成する、ことを特徴とする。
【００１４】
また、請求項４の発明は、請求項１ないし請求項３のいずれかに記載の印刷ジョブ処理装置であって、前記第２のシンボルデータに基づく像が印刷物作成時に裁ち落とされる領域に形成されるように前記前記印刷対象データを生成する、ことを特徴とする。
【００１５】
また、請求項５の発明は、請求項１ないし請求項４のいずれかに記載の印刷ジョブ処理装置であって、前記所定の印刷装置における印刷に際し、前記第２のシンボルデータに基づく像が可視光に対して透明なインクを用いて印刷されるように前記印刷対象データを生成する、ことを特徴とする。
【００１６】
また、請求項６の発明は、請求項１ないし請求項５のいずれかに記載の印刷ジョブ処理装置と、前記印刷処理条件に従って前記印刷対象データをラスタライズ処理するＲＩＰ処理手段と、ラスタライズ処理によって得られたラスターデータについて前記印刷処理条件に従って出力処理する出力処理手段と、を備えることを特徴とする。
【００１７】
また、請求項７の発明は、請求項６に記載の印刷システムであって、前記ＲＩＰ処理手段が前記印刷ジョブ処理装置に備わる、ことを特徴とする。
【００１８】
また、請求項８の発明は、請求項６または請求項７に記載の印刷システムであって、印刷物に印刷されてなる所定のシンボルにエンコードされたデータを復元する復元処理装置、をさらに備え、前記復元処理装置は、印刷物の少なくとも一部の像を読み取って画像データを得る読取手段と、前記読取手段が前記所定のシンボルを読み取ることにより得られた前記シンボルの画像データをデコードすることにより前記エンコードされたデータを復元する復元処理手段と、を備え、前記復元処理手段は、前記印刷ジョブ処理装置においてエンコードされたデータをデコード可能である、ことを特徴とする。
【００１９】
また、請求項９の発明は、所定の処理手段による印刷物の作成処理に供される印刷ジョブデータのバックアップ方法であって、所定のページ記述言語で記述された第１のレイアウトデータを印刷対象データとし、前記印刷対象データと前記印刷対象データに係る印刷処理条件とを関連付けた第１の印刷ジョブデータを作成する第１作成工程と、前記第１の印刷ジョブデータを所定の復元手段によって可逆的にデコード可能な手法でエンコードすることでシンボル化して第１のシンボルデータを生成するシンボル化工程と、前記第１のシンボルデータを前記所定のページ記述言語による記述形式の第２のシンボルデータに変換する変換工程と、前記第１のレイアウトデータと前記第１の印刷ジョブデータに基づいて得られた前記第２のシンボルデータとを前記印刷対象データとして含む第２の印刷ジョブデータを作成する第２作成工程と、所定のＲＩＰ処理手段により、前記第２の印刷ジョブデータを前記印刷処理条件に従ってラスタライズ処理するＲＩＰ処理工程と、所定の出力手段により、ＲＩＰ処理工程により得られたラスターデータについて前記印刷処理条件に従って印刷物を出力する出力工程と、を備えることを特徴とする。
【００２０】
また、請求項１０の発明は、コンピュータで実行されることにより、前記コンピュータを、請求項１ないし請求項５のいずれかに記載の印刷ジョブ処理装置として機能させることを特徴とする。
【００２１】
また、請求項１１の発明は、コンピュータで実行されることにより、前記コンピュータに、所定のページ記述言語で記述された第１のレイアウトデータを印刷対象データとし、前記印刷対象データと前記印刷対象データに係る印刷処理条件とを関連付けた第１の印刷ジョブデータを作成する第１作成工程と、前記第１の印刷ジョブデータを所定の復元手段によって可逆的にデコード可能な手法でエンコードすることでシンボル化して第１のシンボルデータを生成するシンボル化工程と、前記第１のシンボルデータを前記所定のページ記述言語による記述形式の第２のシンボルデータに変換する変換工程と、前記第１のレイアウトデータと前記第１の印刷ジョブデータに基づいて得られた前記第２のシンボルデータとを前記印刷対象データとして含む第２の印刷ジョブデータを作成する第２作成工程と、前記第２の印刷ジョブデータを前記印刷処理条件に従ってラスタライズ処理するラスタライズ処理工程と、前記ラスタライズ処理により得られたラスターデータについて前記印刷処理条件に従って印刷物を出力するよう、所定の出力手段を制御する出力処理工程と、を実現させることを特徴とする。
【発明の効果】
【００２２】
請求項１ないし請求項１１の発明によれば、印刷物に形成されたシンボルをデコードすることで、該印刷物を得るための印刷ジョブデータを忠実に復元できる。これにより、電子データの形式でデータを保存しておかずとも、係る印刷物を保存しておき、必要に応じて復元処理を実行することで、該印刷ジョブデータの再利用が容易に行える。換言すれば、印刷ジョブデータのバックアップデータを、紙媒体の状態で保存し、必要に応じて該バックアップデータを復元して印刷処理に供することで、もとの印刷物と同条件で印刷され、元の印刷物と実体的内容が同じ印刷物を作成することが出来る。例えば、比較的印刷工程が簡易な無版のデジタル印刷装置を用いて印刷を行い、該印刷物を保存することで、比較的印刷工程が複雑な有版印刷のいわゆる置き版の代わりとすることができる。
【００２３】
特に、請求項３の発明によれば、印刷物の表現内容や用紙サイズ、余白の大小などに応じて複数の単位シンボルに分割してシンボルを配置できるので、印刷物における配置の自由度が高まる。
【００２４】
特に、請求項４の発明によれば、復元処理を行うには裁ち落とし前の印刷物を保存しておくことが必要となる。そのような状態の印刷物を保有していなければ、復元処理は行えないので、該印刷物の作成者が意図しない復元によって内容が改ざんされた印刷物が作成されることが抑制できる。
【００２５】
特に、請求項５の発明によれば、シンボルデータに基づいて形成される像を印刷物のページの任意位置にオーバープリントしても、印刷物の実体像の視認を妨げることがないので、本来の表現内容やレイアウト状態によってシンボルの配置位置が制限されることがなくなる。シンボルの配置の自由度が高まる。この場合、単に印刷物を見る者には通常、データの復元のためにシンボルが印刷されていることがわからないため、該印刷物の作成者が意図しない復元によって内容が改ざんされた印刷物が作成されることが抑制できる。
【発明を実施するための最良の形態】
【００２６】
＜システム構成＞
図１は、本発明の実施の形態に係る印刷ジョブ処理装置１を含む印刷システム１０の構造を模式的に示す図である。印刷システム１０は、印刷ジョブ処理装置１の他に、レイアウトデータ作成装置２と、復元処理装置３とを主として備える。印刷ジョブ処理装置１とレイアウトデータ作成装置２と復元処理装置３とはネットワークＮを介して互いに接続されている。また、印刷ジョブ処理装置１には出力装置２０が通信線ＣＬを介し電気的に接続されている。
【００２７】
印刷システム１０は、例えばＰＤＦ（Portable Document Format）などの所定のページ記述言語（ＰＤＬ：Page Description Language）で記述されたレイアウトデータに基づく印刷物の出力を、印刷ジョブデータの単位で実行するシステムである。
【００２８】
ここで、印刷ジョブデータとは、レイアウトデータと、該レイアウトデータに基づいて印刷物を印刷するにあたっての種々の印刷処理条件とを含んで構成されるデータ、あるいはこれらが関連付けられてなるデータセットであり、印刷ジョブ処理装置１によって作成され、管理される。なお、以降の説明においては、印刷ジョブデータにレイアウトデータや印刷処理条件そのものが記述される場合を含め、これらが印刷ジョブデータに関連付けられている、と称することがある。
【００２９】
本実施の形態においては、印刷処理が、印刷ジョブデータを処理単位として実行される。具体的にいえば、印刷ジョブ処理装置１のオペレータが後述する記憶部１３に格納されている複数の印刷ジョブ（印刷ジョブデータの識別名に相当）の中から所望の１つを選択して印刷実行指示を行うと、印刷ジョブ処理装置１は、該印刷ジョブデータに関連付けられてなる、あるいは該印刷ジョブデータに記述されてなるレイアウトデータを印刷対象データとして、選択された印刷ジョブデータに記述された印刷処理条件の内容に従ってＲＩＰ処理を施し、出力装置２０に出力処理を行わせることになる。
【００３０】
＜レイアウトデータ作成装置＞
レイアウトデータ作成装置２は、例えばコンピュータによって実現される装置である。レイアウトデータ作成装置２においては、所定の処理プログラムが実行されることにより、オペレータによるテキストデータ（文章データ）や画像データなどといったレイアウトオブジェクトの作成、編集や、それらのオブジェクトによって表現される像の、印刷用紙上における配置位置の設定に係る処理が実現される。レイアウトデータ作成装置２においてこれらの処理を行うことで、第１レイアウトデータＤＬ１（図３）が生成される。第１レイアウトデータＤＬ１は、印刷処理に際して解釈可能な所定のＰＤＬ形式で記述されたデータとして生成される。記述に用いるＰＤＬとしては、例えば、ＰＤＦ形式やPostScript（登録商標）形式が採用される。レイアウトデータ作成装置２における第１レイアウトデータＤＬ１の作成には、公知の技術を適用可能である。
【００３１】
＜印刷ジョブ処理装置＞
印刷ジョブ処理装置１は、印刷処理を行う際の処理単位となる印刷ジョブデータの作成に係る処理と、作成された印刷ジョブデータの管理を担う。加えて、出力装置２０における出力処理に係る処理動作を制御する役割も果たす。さらに、印刷ジョブ処理装置１においては、印刷ジョブデータがこれに基づく印刷処理により得られる印刷物から復元可能とされる点で特徴的である。
【００３２】
印刷ジョブ処理装置１は、例えばコンピュータによって実現される装置であり、図１に示すように、オペレータが各種の指示を入力するためのマウスやキーボードからなる操作部１１と、ディスプレイ等の表示部１２と、ハードディスクなどにより構成され、該コンピュータを印刷ジョブ処理装置１として機能させるためのプログラム１３ｐなどを保存するための記憶部１３と、ＤＶＤ−ＲＡＭ／ＲＷ、ＣＤ−ＲＷなど種々の可搬性の記録媒体との間でデータのリード／ライトを行うメディアリーダ／ライタなどからなるＲ／Ｗ部１４と、ネットワークＮ上の他の装置との間や、通信線ＣＬを介し出力装置２０の間でデータの受け渡しを行うためのインターフェースとしての通信部１５と、ＣＰＵ１６ａ、ＲＯＭ１６ｂ、およびＲＡＭ１６ｃから構成され、後述する各機能を実現する制御部１６とを主として備える。
【００３３】
なお、印刷ジョブ処理装置１においては、操作部１１を通じた操作内容や、種々の処理についての処理状況などを表示部１２にて表示させつつ処理を行うことができる、いわゆるＧＵＩ（Graphical User Interface）が、制御部１６、操作部１１、表示部１２の機能により実現されている。制御部１６に実現される後述する各部における処理も、このＧＵＩを用いて行われる。
【００３４】
また、印刷ジョブ処理装置１と出力装置２０とは、一の筐体に納められ、一体の印刷装置として構成されてなる態様であってもよい。かかる場合を含め、印刷ジョブ処理装置１においては、例えばタッチパネルによって操作部１１と表示部１２との機能が複合的に実現される態様であってもよい。
【００３５】
図２は、印刷ジョブ処理装置１の制御部１６において実現される各部を示す図である。制御部１６においては、記憶部１３に記憶されている所定のプログラム１３ｐ（図１）が実行されることにより、ＣＰＵ１６ａ、ＲＯＭ１６ｂ、およびＲＡＭ１６ｃの作用によって、ジョブ作成処理部４と、シンボル化処理部５と、ＰＤＬ変換部６と、データ合成部７と、ＲＩＰ処理部８と、出力処理制御部９とが、主として実現される。また、図３は、これらの各部の間におけるデータの流れを示す図である。
【００３６】
ジョブ作成処理部４は、装置外部から取得したレイアウトデータと該レイアウトデータに基づく印刷処理を行う際に必要な印刷処理条件とを関連付けた、あるいは一体のものとして記述した印刷ジョブデータを作成する処理を担う。なお、本実施の形態においては、このような処理により得られた印刷ジョブデータを特に第１印刷ジョブデータＤＪ１と称することとし、後述する第２印刷ジョブデータＤＪ２と区別する。
【００３７】
印刷ジョブデータ（第１印刷ジョブデータＤＪ１）に含まれる、もしくは関連付けられる印刷処理条件としては、ＰＤＬ形式で記述されてなるレイアウトデータをＲＩＰ処理部８においてＲＩＰ処理する際の処理条件であるＲＩＰ処理条件Ｃ１や、ラスタライズされたデータを出力装置２０において出力処理する際の処理条件である出力処理条件Ｃ２などが該当する。ＲＩＰ処理条件Ｃ１は、例えば分解する色成分の数や出力解像度などである。出力処理条件Ｃ２は、例えば網点の種類やドットゲインの情報、さらには印刷部数や用紙サイズなど、出力装置２０における出力に係る情報である。こうした印刷処理条件は、ジョブ作成処理部４の作用により実現される図示しない所定の入力ダイアログなどを通じ、印刷ジョブ処理装置１のオペレータによって適宜に設定される。
【００３８】
なお、印刷ジョブデータは、ＪＤＦ（Job Definition Format）の形式で記述される態様であってもよい。この場合、ＲＩＰ処理や出力処理に必要な情報に加えて、さらに後段の工程に必要な情報をもあらかじめ記述しておくことが出来る。また、ＪＤＦ形式を採用する場合、例えば、レイアウトデータ作成装置２におけるレイアウトデータの作成の時点で、レイアウトデータのみならずＲＩＰ処理条件や出力処理条件に係る情報をあらかじめＪＤＦ形式で記述し、これを印刷ジョブ処理装置１へと受け渡すことも可能である。
【００３９】
図５は、仮に第１印刷ジョブデータＤＪ１を用いて印刷処理を行った場合に、つまりは第１レイアウトデータＤＬ１を印刷対象データとした場合に得られることになる印刷物ＰＭ０の像を例示する図である。これは、レイアウト段階において作成しようと意図された印刷物の出来上がりの像（第１レイアウトデータＤＬ１によって表現される像）に相当する。ただし、本実施の形態における印刷処理は、実際には後述する第２印刷ジョブデータＤＪ２について行われる。
【００４０】
シンボル化処理部５は、第１印刷ジョブデータＤＪ１をシンボル化する処理を担う。ここで、シンボル化とは、第１印刷ジョブデータＤＪ１の記述内容を所定のアルゴリズムに従ってエンコードして、１または複数の画像オブジェクトを表現する画像データを生成することを意味する。また、シンボル化によって得られる、シンボルを表現する画像データをシンボルデータＤＳと称する。
【００４１】
シンボル化処理には、例えば、バーコードを生成する処理やスタック型の二次元コードあるいはマトリックス型の二次元コード（ＱＲコードなど）を生成する処理などが該当する。すなわち、エンコードの結果得られるバーコードやＱＲコードなどが本実施の形態に係るシンボルに相当する。ただし、後述するように、後段の処理において該シンボルに基づいてデコード処理がなされ、第１印刷ジョブデータＤＪ１が復元されることから、シンボル化手法は、デコードによるデータの忠実な復元が可能な、可逆的なエンコード手法であることが必要である。シンボル化処理部５における処理に際しては、こうした種々のシンボル化手法のうちの１つを用いてシンボル化処理が実行される。
【００４２】
なお、本実施の形態においては、採用されるシンボル化処理の種類によっては、一の第１印刷ジョブデータＤＪ１から複数の画像オブジェクトを得る場合もある。そこで、得られる個々の画像オブジェクトおよびこれが印刷物において表現されたものを「単位シンボル」と称し、単位シンボルを表現する画像データを「単位シンボルデータ」と称し、一の第１印刷ジョブデータＤＪ１から生成される単位シンボルの集合を「シンボル」と総称することとする。ただし、一の第１印刷ジョブデータＤＪ１からいくつの単位シンボルが生成されるのかは、第１印刷ジョブデータＤＪ１のデータ容量や用いられるシンボル化手法の種別やその処理条件に応じて様々に定めることができる。すなわち、印刷物の表現内容や用紙サイズ、余白の大小などに応じてシンボル化手法が選択され、シンボルの個数が設定される。また、複数の単位シンボルＳＢｎが生成される場合、すなわち、第１印刷ジョブデータＤＪ１が分割されてエンコードされる場合は、後述する復元処理装置３における復元処理に際してもとの第１印刷ジョブデータＤＪ１が正しく復元されるよう、各シンボルからのデコードの順序やデコードされたデータの合成の順序などを示す情報が必要となる。これについては、例えば、個々の単位シンボルＳＢｎの関係を示す記述が付加されたうえで、単位シンボルＳＢｎが生成される態様や、あらかじめデコードする順序を取り決めておく、等の態様によって対応することができる。
【００４３】
ＰＤＬ変換部６は、シンボル化処理部５にて作成されたシンボルデータＤＳを、第１レイアウトデータＤＬ１の記述に用いられたものと同じＰＤＬ形式で記述されたデータに変換する。係る変換によって生成されるデータをＰＤＬ化シンボルデータＤＳＰと称する。なお、ＰＤＬ変換には、公知の処理プログラムを適用可能である。
【００４４】
データ合成部７は、第１印刷ジョブデータＤＪ１を構成する第１レイアウトデータＤＬ１にＰＤＬ化シンボルデータＤＳＰを追記することによって第１レイアウトデータＤＬ１を書き換え、第２レイアウトデータＤＬ２を生成する処理を担う。ただし、係る第２レイアウトデータＤＬ２の生成は、第１レイアウトデータＤＬ１にシンボルＳＢからなる新たなオブジェクトを付加する処理に相当するので、係る処理に際しては、印刷物におけるシンボルＳＢの配置位置を定める情報が併せて第２レイアウトデータＤＬ２に記述される。
【００４５】
本実施の形態においては、この第２レイアウトデータＤＬ２が印刷処理の対象となる。ここで、該第２レイアウトデータＤＬ２を印刷処理の対象とする（印刷対象データとする）印刷ジョブデータを第２印刷ジョブデータＤＪ２と称することとする。
【００４６】
ただし、第１レイアウトデータＤＬ１が第２レイアウトデータＤＬ２に書き換えられるのみでは印刷処理の対象が変更されたことにならないので、第１レイアウトデータＤＬ１に基づく第２レイアウトデータＤＬ２の生成とともに、ジョブ作成処理部４の作用によって、第２印刷ジョブデータＤＪ２において第２レイアウトデータＤＬ２が印刷対象データとして特定されるよう、所定の処理が適宜になされる。例えば、印刷対象データに係る記述内容が書き換えられる態様であっても良いし、あるいは、第２レイアウトデータＤＬ２に第１レイアウトデータＤＬ１と同じファイル名を与える、すなわち、データを上書きするような態様であってもよい。
【００４７】
なお、第１レイアウトデータＤＬ１が第１印刷ジョブデータＤＪ１に直接に記述されてなる態様の場合は、第１レイアウトデータＤＬ１を第２レイアウトデータＤＬ２に書き換える処理は直接に、印刷対象データを第１レイアウトデータＤＬ１から第２レイアウトデータＤＬ２に変更する処理に相当することになる。
【００４８】
このようにして得られた第２印刷ジョブデータＤＪ２に基づく印刷処理を実行すると、得られる印刷物中において、ＰＤＬ化シンボルデータＤＳＰによって表現されるシンボルが追記される状態が実現されることになる。
【００４９】
データの合成に際しては、好ましくはオペレータがＧＵＩを介してシンボルの配置位置を所定範囲内であれば印刷物の任意位置に定めることができるものとされ、確定した配置位置に係る情報が合成される。あるいは、第１レイアウトデータＤＬ１にあらかじめシンボルＳＢの配置位置を予約する記述がなされており、ＰＤＬ化シンボルデータＤＳＰの合成に際しては、その予約された配置位置にシンボルが配置されるように合成がなされる態様であってもよい。ただし、いずれの態様をとるにせよ、印刷物においてもともと表現しようとする内容と干渉しないような位置、例えば、本来は余白となる位置に配置されることが好ましい。また、シンボルＳＢは、後述する復元処理における読み取りが正確になされるよう、印刷用紙の地色と明瞭に差がある色成分にて印刷されるよう、印刷色が定められているのが好ましい。
【００５０】
ＲＩＰ処理部８は、印刷ジョブデータに記述されたＲＩＰ処理条件Ｃ１に従って、ＰＤＬ化シンボルデータＤＳＰが追記された第２レイアウトデータＤＬ２のラスタライズ処理（ＲＩＰ処理）を担う。
【００５１】
出力処理制御部９は、出力装置２０の動作を制御することにより、ＲＩＰ処理により得られたラスターデータを対象に、印刷ジョブデータに記述された出力処理条件Ｃ２に基づく出力処理を出力装置２０に実行させる。
【００５２】
図６（ａ）は、シンボル化処理としてＱＲコードを生成する処理が用いられる場合に、第１印刷ジョブデータＤＪ１をシンボル化することにより得られた第２印刷ジョブデータＤＪ２を用いて印刷処理がなされた結果として得られる印刷物ＰＭを例示する図である。図６（ｂ）は、単位シンボルＳＢｎの１つを拡大して示す図である。印刷物ＰＭにおいては、図５に示した印刷物ＰＭ０の実体像ＩＭ０と同じ実体像ＩＭに、シンボルＳＢが追加された状態が実現されてなる。すなわち、もともと第１レイアウトデータＤＬ１によって表現されるべき実体像ＩＭ（図５の印刷物ＰＭ０の実体像ＩＭ０と同じ）に、ＰＤＬ化シンボルデータＤＳＰによって表現されるシンボルが付加されてなる印刷物が、得られることになる。
【００５３】
なお、図６（ａ）においては、シンボルＳＢが１０個の単位シンボルＳＢｎ（ＳＢ１〜ＳＢ１０）により構成される場合を例示しているが、単位シンボルＳＢの個数はこれに限定されるものではない。
【００５４】
＜出力装置＞
出力装置２０は、印刷ジョブ処理装置１において作成された印刷ジョブデータに従って、印刷物の出力処理を行う装置である。詳細に言えば、印刷ジョブデータに係るレイアウトデータが印刷ジョブ処理装置１のＲＩＰ処理部８においてＲＩＰ処理されることにより得られるラスターデータに基づいて、出力処理を行う装置である。出力装置２０は、例えば無版のいわゆるデジタル印刷装置である。あるいは、いわゆる製版のための装置（イメージセッタやＣＴＰ装置など）と刷版を用いて印刷物を印刷装置とから構成されてもよい。ただし、印刷ジョブデータに記述されてなる出力処理条件Ｃ２を解釈できることが必要である。
【００５５】
なお、用いる出力装置２０の種類に応じ、出力に先立って行うＲＩＰ処理の内容は異なるので、印刷ジョブ処理装置１においてＲＩＰ処理条件Ｃ１として設定すべきパラメータの種類や設定値は、出力装置２０に応じて異なる。また、当然ながら出力装置２０の種類に応じて出力処理の内容は異なるので、出力処理条件Ｃ２として設定べきパラメータの種類や設定値も出力装置２０に応じて異なる。
【００５６】
＜復元処理装置＞
復元処理装置３は、上述したようなシンボルが印刷された印刷物ＰＭから、該印刷物の出力のために作成された印刷ジョブデータ（第１印刷ジョブデータＤＪ１）を復元する処理を担う。復元処理装置３は、読取手段３１と、復元処理手段３２と、制御手段３３とを主として備える。
【００５７】
読取手段３１は、印刷物ＰＭの像、少なくとも印刷物ＰＭに表現されているシンボルＳＢを読み取る処理を担う。読取手段３１は、シンボル化処理の種別やシンボルＳＢの配置態様に応じて好適に構成される。例えばイメージスキャナや、デジタルカメラといった汎用の画像読取装置もしくは撮像装置によって実現されてもよいし、二次元コードリーダやバーコードリーダなどといった専用の読取装置によって構成されてもよい。読取手段３１によって、印刷物ＰＭ上のシンボルＳＢを電子データ化した画像データが得られることになる。
【００５８】
復元処理手段３２は、シンボルＳＢを読み取ることにより得られた画像データにつき、その生成手法（エンコード手法）に対応した手法でデコードして、該シンボルＳＢに含まれる情報、具体的には印刷物ＰＭ０を表現する第１印刷ジョブデータＤＪ１を復元する処理を担う。
【００５９】
なお、シンボルＳＢが複数の単位シンボルＳＢｎからなる場合、読取手段３１によるシンボルＳＢの読み取りと復元処理手段３２によるデコードとの処理タイミングの関係は、読取手段３１の種別やシンボルＳＢの種類、印刷物における配置態様などによって種々の場合が想定される。例えば、全ての単位シンボルＳＢｎを（あるいは印刷物ＰＭごと）一括して読み取ったうえで、それぞれの単位シンボルＳＢｎに係る画像データを個別に生成したうえでデコードする態様であってもよいし、個々の単位シンボルＳＢｎを読み取るたびにこれを逐次にデコードする態様であってもよい。いずれの場合も、全ての単位シンボルＳＢｎについてのデコードがなされて、これらが合成されることによって、第１印刷ジョブデータＤＪ１が復元されることになる。
【００６０】
制御手段３３は、装置各部の動作制御を担う。復元処理手段３２と制御手段３３とは、例えばコンピュータによって実現可能である。すなわち、復元処理装置３は、コンピュータに所定の読取手段が電気的に接続することにより構成することができるものである。
【００６１】
＜印刷ジョブデータの生成＞
以下、印刷システム１０において実現される印刷ジョブデータの生成・印刷・復元に係る処理の流れを説明する。図４は、係る処理の流れを示す図である。
【００６２】
まず、印刷ジョブ処理装置１における第２印刷ジョブデータＤＪ２の生成について説明する。なお、以降の説明において、第２印刷ジョブデータＤＪ２の生成に至るまでの途中段階で生成される種々のデータは、適宜、記憶部１３やＲＡＭ１６ｃに格納されるものとする。また、シンボル化の手法としては、ＱＲコード化が採用されているものとする。
【００６３】
まず、レイアウトデータ作成装置２において、所定のプログラムが実行されることにより実現される所定のＧＵＩを介してオペレータが適宜の処理を行うことにより、文章や画像などが所望の状態に配置された印刷物を表現する第１レイアウトデータＤＬ１が生成される（ステップＳ１）。第１レイアウトデータＤＬ１は、所定のＰＤＬ形式にて記述されてなる。
【００６４】
生成された第１レイアウトデータＤＬ１は、ネットワークＮを通じて印刷ジョブ処理装置１に受け渡される（ステップＳ２−１）。あるいは、可搬性の記録媒体に記録された第１レイアウトデータＤＬ１を、Ｒ／Ｗ部１４にて読み出すことで、印刷ジョブ処理装置１が第１レイアウトデータＤＬ１を取得する態様であってもよい。
【００６５】
第１レイアウトデータＤＬ１が得られると、ジョブ作成処理部４の作用により実現される所定の設定ダイアログを通じて、ＲＩＰ処理条件Ｃ１や出力処理条件Ｃ２が該第１レイアウトデータＤＬ１についての印刷処理条件として定められ、第１レイアウトデータＤＬ１と関連付けられて、第１印刷ジョブデータＤＪ１が生成される（ステップＳ２−２）。
【００６６】
第１印刷ジョブデータＤＪ１が得られた後、オペレータが操作部１１を通じて所定の実行指示を与えると、シンボル化処理部５がこれに応答して、あらかじめ定められたシンボル化手法と処理条件とに従って第１印刷ジョブデータＤＪ１の記述内容をシンボル化し、シンボルデータＤＳを生成する（ステップＳ２−３）。シンボル化においては、上述のように、一の第１印刷ジョブデータＤＪ１から複数の単位シンボルＳＢｎを表現する複数の単位シンボルデータが生成される場合もある。図６（ａ）のように１０個の単位シンボルＳＢ１〜ＳＢ１０が印刷される場合であれば、１０個の単位シンボルデータが生成されていることになる。なお、シンボルデータを複数の単位シンボルデータに分割して生成する場合の分割数、つまりはシンボルの数は、それぞれのシンボルについてエンコードされるデータ容量を越えない範囲であれば、係るシンボル化の際に適宜に設定できる態様であってもよい。
【００６７】
シンボルデータＤＳが得られると、引き続き、ＰＤＬ変換部６の作用によりシンボルデータＤＳがＰＤＬ変換されてＰＤＬ化シンボルデータＤＳＰが生成され、さらにＰＤＬ化シンボルデータＤＳＰがデータ合成部７の作用により第１レイアウトデータＤＬ１に合成されて、第２レイアウトデータＤＬ２が生成される。ジョブ作成処理部４の作用によってこの第２レイアウトデータＤＬ２が印刷処理の対象とされることで、第２印刷ジョブデータＤＪ２が生成される（ステップＳ２−４）。上記の場合、１０個の単位シンボル画像データそれぞれについてＰＤＬ変換がなされ、その変換後のデータのデータセットとしてＰＤＬ化シンボルデータが得られることとなる。係る処理は、シンボル画像を印刷物に印刷可能なものとするための処理である。また、データの合成は、上述したように、オペレータが所定の操作を行うことにより、それぞれの単位シンボルの配置位置が決定されたうえでなされる態様であってもよいし、あらかじめ予約された配置位置に単位シンボルが配置されるように処理される態様であってもよい。
【００６８】
得られた第２印刷ジョブデータＤＪ２は、適宜のタイミングで、印刷処理に供される。例えば、記憶部１３に複数の第２印刷ジョブデータＤＪ２が記憶されており、そのうちのいずれかが選択されると、これに応答して該第２印刷ジョブデータＤＪ２に係るＲＩＰ処理さらには出力処理が実行されて、印刷物が生成される（ステップＳ２−５）。印刷に際しては、まず、ＲＩＰ処理部８の作用により、第２印刷ジョブデータＤＪ２に記述されたＲＩＰ処理条件Ｃ１に従って該第２印刷ジョブデータＤＪ２に記述された第２レイアウトデータＤＬ２に対するＲＩＰ処理が施される。出力処理制御部９は、出力装置２０を制御し、ＲＩＰ処理によって得られたラスターデータについて、出力処理条件Ｃ２に従って出力処理を実行させる。
【００６９】
本実施の形態においては、第２印刷ジョブデータＤＪ２において第２レイアウトデータＤＬがＰＤＬ化シンボルデータＤＳＰを包含してなることから、係る第２印刷ジョブデータＤＪ２について印刷処理を実行すると、図６（ａ）に示すように、もともと第１レイアウトデータＤＬ１に基づいて表現されるべき実体像ＩＭ（図５の印刷物ＰＭ０における実体像ＩＭ０と同一の像）にＰＤＬ化シンボルデータＤＳＰに基づいて表現されるシンボルＳＢが付加されてなる印刷物ＰＭが、生成されることになる。
【００７０】
＜印刷データの復元＞
次に、図６（ａ）に示す印刷物ＰＭから、印刷ジョブデータを、より詳細に言えば印刷物ＰＭの実体像ＩＭの部分についての印刷処理を実現する第１印刷ジョブデータＤＪ１を復元する処理について説明する。なお、ここでは、説明の簡単のため、印刷物ＰＭの左端に位置する単位シンボルＳＢ１に係る画像データから順にデコードすべきであると取り決められているとする。また、シンボルがＱＲコードによって形成されてなるので、復元処理装置３は、読取手段３１がＱＲコードを読み取り可能で、かつ復元処理手段３２がＱＲコードの画像データから、もとのデータを復元可能であるように構成されていることになる。
【００７１】
まず、復元処理装置３の読取手段３１によって、印刷物ＰＭに印刷されているシンボルＳＢを左端に位置する単位シンボルＳＢ１から順に読み取り、個々の単位シンボルＳＢｎについての画像データ（単位シンボルデータに相当）を生成する（ステップＳ３−１）。図６（ａ）に示す印刷物ＰＭの場合であれば、１０個の単位シンボルＳＢ１〜ＳＢ１０がＱＲコードとして印刷されているので、それぞれがＱＲコードを表現する１０個の画像データが生成されることになる。
【００７２】
シンボルＳＢの画像データが得られると、次に、復元処理手段３２の作用によって、係る１０個の画像データが順次にデコードされる。具体的には、ＱＲコードを復元可能な公知の手法が用いられる。デコードされたデータはエンコード時に定められた合成順序に従って合成される。全てのデータが合成されると、第１印刷ジョブデータＤＪ１が復元されたことになる（ステップＳ３−２）。
【００７３】
上述したように、第１印刷ジョブデータＤＪ１は、これに基づいて印刷処理を実行すれば図５に示すような像の印刷物ＰＭ０を得ることができるデータである。これは、図６に示す印刷物ＰＭの像からシンボルＳＢを除いた部分の像に相当する。すなわち、第１印刷ジョブデータＤＪ１は、印刷物ＰＭにおける実体像ＩＭのみの印刷を実現するデータ、つまりは、レイアウト段階において作成しようと意図された印刷物を生成することができるデータである。よって、該印刷物ＰＭさえ保存しておけば、その実体的な内容を含む印刷物の作成に用いる印刷ジョブデータの復元を、いつでも行うことができる。
【００７４】
以上、説明したように、本実施の形態によれば、印刷物の状態から、該印刷物を得るための印刷ジョブデータを忠実に復元できるので、電子データの形式でデータを保存しておかずとも、係る印刷物を保存しておき、必要に応じて復元処理を実行することで、該印刷ジョブデータの再利用が容易に行える。つまりは、同じレイアウトデータについての印刷を再度行う場合に、ＲＩＰ処理条件や出力処理条件を設定し直さずとも、もとの印刷物の印刷時と同じ条件で実体的内容が同じ印刷物を得ることができる。換言すれば、印刷ジョブデータのバックアップデータを、紙媒体の状態で保存し、必要に応じて該バックアップデータを再利用することができる。例えば、比較的印刷工程が簡易な無版のデジタル印刷装置を用いて印刷を行い、該印刷物を保存することで、比較的印刷工程が複雑な有版印刷のいわゆる置き版の代わりとすることができる。
【００７５】
＜変形例＞
上述の実施の形態では、ＰＤＬ化シンボルデータＤＳＰを生成し、これを第１レイアウトデータＤＬ１に合成することにより第２レイアウトデータＤＬ２を、ひいては第２印刷ジョブデータＤＪ２を生成し、これにより印刷物へのシンボルＳＢの付加を実現している。印刷物へのシンボルＳＢの付加の態様は、これに限定されるものではない。
【００７６】
図７は、その一例について説明するための図である。図７に示す場合においては、ＰＤＬ変換部６の作用によって生成されたＰＤＬ化シンボルデータＤＳＰは第１レイアウトデータＤＬ１と合成されることなく単独のデータのまま維持され、その関連付け情報だけが第１印刷ジョブデータＤＪ１に付加されて、第２印刷ジョブデータＤＪ２が生成される。そして、第２印刷ジョブデータＤＪ２’には、ＲＩＰ処理に際して、第１レイアウトデータＤＬ１にＰＤＬ化シンボルデータＤＳＰを重ね合わせた状態でＲＩＰ処理を行うよう記述がされる。印刷ジョブデータＤＪ２’について印刷指示を与えた場合には、ＲＩＰ処理部８が印刷ジョブデータＤＪ２’の記述に従って第１印刷ジョブデータＤＪ１とＰＤＬ化シンボルデータＤＳＰとを重ね合わせてＲＩＰ処理を行ってラスターデータを生成し、得られたラスターデータを用いて出力装置２０における出力処理が実行される。このような態様を取っても、最終的には、上述の実施の形態と同様の印刷物を得ることが出来る。また、この場合、データ合成部７は不要となる。
【００７７】
あるいは、多ページのドキュメントを作成する場合においてＲＩＰ処理に先立って面付処理を行うような場合であれば、面付データを生成する際にＰＤＬ化シンボルデータの付加を行うようにしてもよい。
【００７８】
また、上述の実施の形態では、印刷物の下方に一列に単位シンボルが並ぶようにシンボルが配置される態様を示しているが、印刷物におけるシンボルの配置の態様、つまりはシンボルデータの合成の態様は、これに限定されない。また、複数ページからなるドキュメントの場合、配置できるスペースがあるのであれば、どのページにシンボルが配置されてもよい。図８は、他の配置の態様を例示する図である。なお、図８においてＰｏｓ１〜Ｐｏｓ２０は、配置される単位シンボルの順序を示しているが、好ましくは、係る順序はエンコードおよびデコードの際の順序と一致する。
【００７９】
図８（ａ）は、印刷物ＰＭ１の一面に単位シンボルが配置されてなる場合を示している。例えば、ページ物の途中や最後面にある白紙ページに、あるいは片面印刷のページ物の裏面側にシンボルが配置されるような場合がこれに相当する。また、図８（ｂ）は、印刷物ＰＭ２のあるページの四隅に単位シンボルが配置される場合を例示している。図８（ｃ）も同様に、印刷物ＰＭ３のあるページの四隅に単位シンボルが配置される場合を例示しているが、こちらは、単位シンボルが複数のページにまたがって、配置される場合を示している。さらに、図８（ｄ）は、印刷物ＰＭ４のページ全面に、ページサイズに匹敵するサイズの１つのシンボルが配置されてなる場合を示している。
【００８０】
また、シンボル以外の印刷は通常の態様で行うものの、シンボルの印刷のみ、可視光下ではシンボルを視認できない特殊な透明インクを用いて行うようにしてもよい。かかる場合、ページの任意位置にオーバープリントしても、印刷物の実体像の視認を妨げることがないので、本来の表現内容やレイアウト状態によってシンボルの配置位置が制限されることがなくなる。すなわち、図８（ａ）や（ｄ）のようなシンボルの配置を、印刷物の印刷面上に行うこともでき、シンボルの配置の自由度が高まる。この場合、単に印刷物を見る者には通常、データの復元を目的としてシンボルが印刷されていることがわからないため、該印刷物の作成者が意図しない復元によって内容が改ざんされた印刷物が作成されることが抑制できる。ただしこの場合は、復元処理装置の読取手段が透明インクで印刷されたシンボルを読み取り可能に構成されていることが必要である。
【００８１】
シンボルは、最終的に提供される印刷物の内部に収まるように配置される必要はない。例えば、印刷後の裁断工程で裁ち落とされるような領域に形成される態様であってもよい。この場合、復元処理を行うには裁ち落とし前の印刷物を保存しておくことが必要となる。そのような状態の印刷物を保有していなければ、復元処理は行えないので、該印刷物の作成者が意図しない復元によって内容が改ざんされた印刷物が作成されることが抑制できる。
【００８２】
同一のシンボルを複数箇所に配置したり、一の印刷データを相異なるシンボル化手法で並行してシンボル化して配置するなどの態様を取ってもよい。これにより、復元処理の確実性を高めることができる。
【００８３】
エンコードの対象となるデータは、公知の手法によって適宜に圧縮され、あるいは暗号化されてよい。
【００８４】
これまでの説明では、ＱＲコードを用いてＰＤＬレイアウトデータをシンボル化することについて説明を行ってきたが、ベリコードやマキシコード等、他の態様のシンボルを利用してもよい。
【００８５】
また、これまでの説明ではシンボルを光学的に読み取り、エンコードする態様を説明してきたが、シンボルを磁気的に読み取るようにしてもよい。
【図面の簡単な説明】
【００８６】
【図１】印刷システム１０の構造を模式的に示す図である。
【図２】印刷ジョブ処理装置１の制御部１６に実現される各部を示す図である。
【図３】各部の間におけるデータの流れを示す図である。
【図４】印刷システム１０において実現される印刷ジョブデータの生成・印刷・復元に係る処理の流れを示す図である。
【図５】第１印刷ジョブデータＤＪ１を用いて出力処理を行った場合に得られることになる印刷物ＰＭ０の像を例示する図である。
【図６】第２印刷ジョブデータＤＪ１を用いて出力処理がなされた結果得られる印刷物ＰＭを例示する図である。
【図７】変形例に係るデータの流れを示す図である。
【図８】シンボルについての他の配置の態様を例示する図である。
【符号の説明】
【００８７】
１  印刷ジョブ処理装置
２  レイアウトデータ作成装置
３  復元処理装置
１０  印刷システム
２０  出力装置
ＤＪ１  第１印刷ジョブデータ
ＤＪ２  第２印刷ジョブデータ
ＤＬ１  第１レイアウトデータ
ＤＬ２  第２レイアウトデータ
ＤＳ  シンボルデータ
ＤＳＰ  ＰＤＬ化シンボルデータ
ＰＭ、ＰＭ０〜ＰＭ４  印刷物
ＳＢ  シンボル
ＳＢｎ（ＳＢ１〜ＳＢ１０）  単位シンボル
【図１】
2006146771.tif 000003
【図２】
2006146771.tif 000004
【図３】
2006146771.tif 000005
【図４】
2006146771.tif 000006
【図５】
2006146771.tif 000007
【図６】
2006146771.tif 000008
【図７】
2006146771.tif 000009
【図８】
2006146771.tif 000010